(57)【特許請求の範囲】
【請求項１】
赤，緑，青の３色の光源を順次点灯させて１ライン分ずつ各色の色信号を得る光源順次点灯方式のカラーイメージセンサユニットを対向して配置し、原稿の両面を同時に読み取ることが可能な構成を有する両面カラー原稿読み取り装置において、
表裏のアクセス領域を分離しない片面２ライン分のみを格納する表裏共用メモリを備え、
画像処理装置に対して各光源が順次点灯して得られる前記イメージセンサユニットの各面１ライン分ずつ３色の色信号をセットとして表裏信号を交互に切り換えて入力することにより、原稿両面の同時読み取りを行なうことを特徴とする両面カラー原稿読み取り装置。
【発明の詳細な説明】
【０００１】
【発明の属する技術分野】
この発明は、光源順次点灯方式のカラーイメージセンサを搭載した両面原稿読み取り装置に係り、特に、画像処理回路として表裏各面の赤，緑，青の３色の画データをセットで処理する機能が必要な場合でも、カラーイメージスキャナを最少容量のメモリで構成することを可能にした両面カラー原稿読み取り方法および装置に関する。
【０００２】
【従来の技術】
高速のＣＰＵや大容量メモリの低価格化により、いわゆるパーソナルコンピュータでのデジタルカラー画像が容易に扱える環境が整う傾向になっている。
それに伴い、画像入力装置のカラー対応の要求も高まってきている。
具体的には、画像入力装置の構成要素である原稿読み取り装置（イメージスキャナ）についても、カラー対応が必然的に求められている。
しかし、全ての画像関連周辺機器についていえることであるが、カラー化に際しては、モノクロ画像の場合に比べて複雑な処理を要するので、機構や制御も複雑化する上、カラー画像の場合にはモノクロ画像よりさらに高画質が要求されることから、結果的に高価格になってしまい、それが普及を妨げる一因にもなっている。
【０００３】
カラーイメージスキャナと読み取り方式
この点は、カラー読み取り装置であるイメージスキャナについても同様で、画像の品質を落すことなく、価格を抑えることが要求されている。
このような問題を解決する従来の一つの対応としては、カラー画像読み取り装置の光学装置に関し、光路長の短い正立等倍型レンズを用いることができるようにして、装置の小型化を可能にした光学装置が提案されている（特開平９−２６１４０９号公報）。
このような小型で、カラー画像の読み取りが可能なイメージスキャナは、各種のタイプが出現している。
他方、イメージスキャナのカラー対応に際して、画像品質を左右するのは、カラーイメージスキャナの読み取り方式である。
【０００４】
カラーイメージスキャナの読み取り方式には、いくつかの方式があるが、光源をＲＧＢ（Ｒｅｄ：赤，Ｇｒｅｅｎ：緑，Ｂｌｕｅ：青の各色の略称、以下単にＲＧＢという）に変化させてカラー画像を得る読み取り方式と、白色光源を使用して、フィルタによりＲＧＢに色分解したカラー画像を得る読み取り方式とに大別することができる。
これら２つの読み取り方式を、速度、画質、コストの全ての観点から比較した場合、高輝度の発光ダイオード（ＬＥＤ）の普及に伴い、現状では前者の光源を切り換える方式の方が、後者の方式より優れている、ということができる。
例えば、カラー画像読み取り装置については、光源から発する光量の損失を抑制してＣＣＤセンサの受光効率を高めると共に、信号変換の高速化を図ることにより、装置の小型化を実現したカラー画像読み取り装置も提案されている（特開平９−２４７３５８号公報）。
【０００５】
先の前者の光源切り換え方式に利用される光源は、高速での点滅動作の必要性から、点灯レスポンスの優れているＬＥＤが主流であり、その光量の制約からイメージセンサの構成としては、必然的にＣＣＤのような縮小光学系ではなく、密着型の等倍センサに限られてしまう。
しかし、最近では、ＬＥＤの光を所定の方向にのみ拡散・照射させる導光板の採用によって、従来のＬＥＤを等間隔に配置して均等な光量を得ていた方法に比べ、より少ない数のＬＥＤで同等の光量を得ることが可能になった。
以上のような技術的理由から、カラーイメージセンサについては、低コスト、低消費電流、省スペースというコンピュータの周辺機器としての理想的な構成が可能となり、また、読み取り方式としては、現状では、等倍センサによる光源切り換え方式が主流になりつつある。
【０００６】
光源順次点灯方式
この等倍センサによる光源切り換え方式は、ＲＧＢのＬＥＤを順次に点灯させることから、光源順次点灯方式とも呼ばれている。
この光源順次点灯方式では、イメージセンサ素子の信号読み出し方式が、直接読み出し方式の場合、受光素子に光が当たる期間は全て電荷を蓄積するため、１ライン分の信号を読み出す期間には、全てのＬＥＤを消灯させないと、色干渉を起こす、という問題がある。
ここで、直接読み出し方式について説明すると、この直接読み出し方式は、光電変換によって蓄積された電荷を直接出力段に取り出す方式であり、各画素の画像信号の読み出し間隔が、そのまま画素の光電蓄積時間となるので、画素単位で蓄積タイミングが異なる。
そこで、光源順次点灯方式のカラーイメージセンサでは、次の図３に示すようなタイミングで光源を制御する。
【０００７】
図３は、光源順次点灯方式のカラーイメージセンサについて、その制御タイミングを説明する図である。図において、ＬＥＤ  Ｒ，ＬＥＤ  Ｇ，ＬＥＤ  Ｂは赤色（Ｒ）のＬＥＤ，緑色（Ｇ）のＬＥＤ，青色（Ｂ）の各ＬＥＤ（発光ダイオード）の点／消灯のタイミング、ＳＩＧはＲＧＢの画像信号を示し、ｔ１〜ｔ３は信号読み出し期間を示す。
【０００８】
例えば、Ｒ（赤）の画像信号の場合、最上方の「ＬＥＤ  Ｒ」に示したＯＮのタイミングで、その時間幅だけＲのＬＥＤを点灯させると、受光素子にその１ラインの各画素の画像信号が蓄積される。
その後、ＲのＬＥＤを消灯させ、読み出し期間ｔ１内にその読み出しを行なうと、この図３の最下方に「ＳＩＧ」で示したＲＧＢの画像信号の内、Ｒの１ライン分の画像信号が読み出される。
Ｇ（緑）の画像信号や、Ｂ（青）の画像信号についても、同様である。
このように、まず、ＲのＬＥＤを一定期間点灯させた後、消灯してからその信号１ライン分を読み出し、読み出し期間ｔ１が完了してから、以下同様に、次のＧのＬＥＤを一定期間点灯させ、各色の画像信号を読み出す（ｔ２，ｔ３）。
【０００９】
この光源順次点灯方式では、ＲＧＢのＬＥＤを順次に点灯／消灯させながら、１ラインずつ処理するので、ＲＧＢの３色の画像信号の読み出しには３回の処理が必要である。
そして、この図３に示すようなタイミングで光源を制御すれば、信号読み出し期間とＬＥＤ点灯時間とを完全に分離することができる。
しかし、このようなタイミングで制御すると、結果的に、走査時間が遅くなってしまう、という難点がある。
直接読み出し方式の等倍カラーイメージセンサは、このような難点を有してはいるが、現状では、半導体レベルの構成として比較的容易であり、安価でもあるため、イメージスキャナの低価格化に有用なユニットとされている。
【００１０】
両面同時読み取り方式
ところで、イメージスキャナの入力対象となる原稿は、カラー化の進展という変化だけでなく、オフィスにおけるコスト削減や環境問題などから、表裏両面へ印字・記録する形態が進んでいる。
そこで、イメージスキャナについても、この変化に対応するために、一度に原稿の両面の読み取りが可能であるように、イメージセンサを対向して配置した両面イメージスキャナも出現しつつある。
両面を同時に読み取る方式としては、表面と裏面の読み取りを交互に行なう方式が一般的である。
ここで、従来のＲＧＢ１ライン毎に表裏を切り換える方式について、次の図４によりその制御タイミングを説明する。
【００１１】
図４は、ＲＧＢの各１ライン毎に表裏を切り換える方式のカラーイメージセンサについて、その制御タイミングの一例を説明する図である。図の波形に付けた符号は図３と同様であるが、表と裏を区別するために表または裏を付記して示している。
【００１２】
この図４には、カラーイメージの両面読み取りに際して、モノクロ画像の読み取りと同じように、表裏１ラインずつ交互に切り換えて読み出す場合のタイミングを示している。
ここで、表面のある１ラインの赤色光源による画像信号を表Ｒ、裏面のそれを裏Ｒと表記し、同様に、緑色の画像信号も、表面のそれを表Ｇ、裏面のそれを裏Ｇと表記し、青色についても同様に表記すると、この１ライン単位で表裏データを切り換える読み取り方式の場合、入力される画像信号の順序は、表Ｒ→裏Ｒ→表Ｇ→裏Ｇ→表Ｂ→裏Ｂ→……のようになる。
したがって、図４に示した両面読み取り方式によって読み出されたＲＧＢの画像信号は、各色毎に表裏交互に画像処理回路に入力されることになる。
すなわち、入力信号の順序は、表Ｒ→裏Ｒ→表Ｇ→裏Ｇ→表Ｂ→裏Ｂ→……のようになる。
【００１３】
この図４のように、ＲＧＢ１ライン毎に表裏を切り換える方式を採用する利点は、入力を切り換えることにより、共通のハードウェア（回路）によって表裏の画像処理が実現できる、ということである。
ここで、先の図４のタイミングチャートで説明した読み取り動作を行なうカラーイメージセンサを対向する形でレイアウトし、原稿の両面を一度に読み取ることが可能な両面原稿読み取り装置について、その構成を説明する。
【００１４】
図５は、両面同時読み取り装置について、その要部構成の一例を示す機能ブロック図である。図において、１は原稿、２は表イメージセンサ、３は裏イメージセンサ、４は画像処理回路、５はラインバッファ、６はデータバス、ＳＷは切り換えスイッチ、表ＳＩＧは表画像の読み取り信号、裏ＳＩＧは裏画像の読み取り信号を示す。
【００１５】
この図５に示した両面同時読み取り装置は、ライン単位で切り換える方式であり、１ライン毎に入力する画像信号を表裏切り換えると共に、画像処理回路４に付随するラインバッファのアクセス領域や、表裏で異なるパラメータ類を切り換えることによって、あたかも原稿の同一面のラインが連続して入力／処理されるのと同じような動作を行なう機能を有している。
そのために、この両面同時読み取り装置には、原稿１の両側にイメージセンサとして、表イメージセンサ２と、裏イメージセンサ３が配置されている。
この表イメージセンサ２と、裏イメージセンサ３からの出力信号は、切り換えスイッチＳＷを通じて、ライン単位で交互に画像処理回路４に入力される。
【００１６】
この場合に、画像処理回路４に付随するラインメモリ５では、表裏各面のバッファデータ格納領域が分離されており、切り換えスイッチＳＷによって画像信号が選択された面に対応するデータをアクセスできるように、アドレスがコントロールされる。
なお、画像処理回路４の中で、直前に入力したラインと関連のあるパラメータを利用する処理に関しても、ラインメモリと同様に、全てライン単位で切り換えることが可能であるように構成する必要がある。
図５の両面同時読み取り装置によれば、以上のような動作によって、ライン単位で異なる面の画像信号が入力されても、連続するラインと同じように処理することが可能である。
【００１７】
【発明が解決しようとする課題】
先の従来技術で説明したように、カラー化に対応して、ＲＧＢのＬＥＤを順次に点灯させる光源切り換え方式、いわゆる光源順次点灯方式が主流となり、この方式では、等倍センサが使用される。
また、オフィスのコスト削減や環境問題などから、表裏両面へ印字・記録する形態が増加しており、原稿の両面を一度に読み取ることが可能な両面同時読み取り装置が使用されている。
この両面同時読み取り装置では、ライン単位で表裏の画像信号を切り換える方式が採用されている。
このライン単位で表裏の画像信号を切り換える方式は、モノクロ画像の場合には、画像情報が濃淡だけの情報であるから、主走査１ラインの情報はイメージセンサからの信号１ラインで完結するので、１ライン単位で交互に切り換えて表裏のデータを分別して処理することに、何らの問題も生じない。
【００１８】
しかし、カラー画像の場合、画像情報がＲＧＢ各色の濃淡であることから、主走査１ラインの情報を完全に得るには、３ライン（ＲＧＢの各１ライン）の信号が必要となる。
そのため、モノクロ画像のように、１ライン単位で交互に切り換える方式を採用すると、切り換え方式のメリットを損なうケースが生じる。
具体的には、このようなケースは、ＲＧＢ３ラインの全てが揃わなければ実行できない処理で起こり得る。その一例としては、補色など色変換に伴う演算処理である。
【００１９】
通常、色変換は、ＲＧＢ各色データの演算によって行なわれるので、当該ラインのＲＧＢデータを全て演算に利用する場合には、ある主走査ラインのＲＧＢデータは連続して入力される状態が望ましい。
ところが、カラー画像について、モノクロ画像の両面読み取りと同じように、ライン単位で表裏データを切り換えると、片面１ライン分のＲＧＢデータが揃う間に、もう一方の面のＲＧＢデータが交互に割り込むため、両面分のＲＧＢデータを保存するメモリエリアを有していない限り、表裏それぞれの色変換演算を実行することはできない。
【００２０】
そして、補色など色変換に伴う演算処理を行なう場合には、主走査１ラインの情報として、ＲＧＢ各１ライン分のデータが必要であるから、表の画像信号については、最初の表Ｒが入力されてから最終の表Ｂが入力されるまで、表Ｒ，表Ｇおよび裏Ｒ，裏Ｇの計４ライン分のデータを保存しておかなければならない。
言い換えると、これら４ライン分のデータを保存するために、４ライン分のメモリ容量が必要になる。
このことは、先に述べたように、低価格が課題とされるカラーイメージスキャナにとって大きな問題であり、メモリ容量の増加に伴う費用の負担は、無視することができない。
この発明では、カラーイメージスキャナにおいて、画像処理回路として表裏各面のＲＧＢデータをセットで処理する機能が必要な場合でも、少ない容量のメモリ構成で実現することを第１の課題とする。
【００２１】
ここで、先の図４に示したＲＧＢ１ライン毎に表裏を切り換える方式、すなわち、直接読み出し方式のイメージセンサにおいて、順次点灯によってＲＧＢ各色の信号を取り出す場合の特徴について簡単に説明する。
図４に示した切り換え方式によって、１ライン単位で表裏の切り換えを行なうと、片面の光源点灯期間に、もう一方の面の信号読み出しが可能である。
そのため、片面読み出し時の場合と同様に、読み取り時間を変えずに、両面読み取りを行なうことができる。
【００２２】
図６は、ＲＧＢの各１ライン毎に表裏を切り換える方式のカラーイメージセンサについて、その第２の制御タイミングを説明する図である。図の波形に付けた符号は図４と同様である。
【００２３】
この図６は、先の図４と同様の制御タイミングで、ＲＧＢ１ライン毎に表裏を切り換えるが、その信号読み出しレートを上げている点が異なっている。
このように、先の図４に示したＲＧＢ１ライン毎に表裏を切り換える方式の利点の一つは、一方の面の信号読み出し期間に、もう一方の面のＬＥＤ点灯が可能であり、信号読み出しレートを上げることが可能なことである。
この発明では、このような利点を有する読み取り方式、すなわち、図６に示したＲＧＢ１ライン毎に表裏を切り換える両面読み取り方式にも着目し、カラーイメージスキャナにおいて、画像処理回路として表裏各面のＲＧＢデータをセットで処理する機能が不要の場合には、信号読み出しレートを上げることを可能にした原稿読み取り方法も併用可能とすることを第２の課題とする。
【００２４】
【課題を解決するための手段】
請求項１の原稿読み取り装置では、赤，緑，青の３色の光源を順次点灯させて１ライン分ずつ各色の色信号を得る光源順次点灯方式のカラーイメージセンサユニットを対向して配置し、原稿の両面を同時に読み取ることが可能な構成を有する両面カラー原稿読み取り装置において、表裏のアクセス領域を分離しない片面２ライン分のみを格納する表裏共用メモリを備え、画像処理装置に対して各光源が順次点灯して得られる前記イメージセンサユニットの各面１ライン分ずつ３色の色信号をセットとして表裏信号を交互に切り換えて入力することにより、原稿両面の同時読み取りを行なう。
【００２８】
【発明の実施の形態】
この発明の両面原稿読み取り装置は、先の従来技術で述べた両面カラー原稿読み取り装置、すなわち、赤，緑，青の３色の光源を順次点灯させて１ライン分ずつ各色の色信号を得る光源順次点灯方式のカラーイメージセンサユニットを対向して配置し、原稿の両面を同時に読み取ることが可能な構成を有する両面カラー原稿読み取り装置を前提技術としている。この装置は、先の図５に示したような構成で実現される。この図５の両面カラー原稿読み取り装置は、原稿の表裏の読み取りをＲＧＢ各１ラインをライン単位で切り換える方式であり、色干渉なくＲＧＢの各画像信号を読み出すため（正常な色分解を行なうため）に、図３に示したようなタイミングで光源を制御することができる。
【００２９】
したがって、この図５の装置は、順次点灯方式によるカラーイメージセンサであり、違う色の光源と順次点灯させて色分解を行なうために、光源照射時間（蓄積時間）と信号読み出し期間とがオーバーラップしないように制御することが可能な構成である。
その理由については、すでに述べたが、先の図３の光源順次点灯方式では、カラーイメージセンサは、電荷読み出し方式として直接読み出し方式と呼ばれるタイプを想定しており、各画素の蓄積時間は、電荷の読み出し間隔そのものであるので、画素毎に蓄積タイミングを異ならせるよう制御する。
すなわち、画像信号を読み出している期間に、その他の色のＬＥＤを点灯させると、読み出しの終った画素から電荷が再蓄積されてしまうことになり、次に点灯させた色の蓄積電荷と混じりあってしまい、正常な色分解ができなくなる、という問題があり、この問題を回避して正常に色分解するために、先の図３に示したようなタイミングで光源を制御している。
しかし、この図３に示した方式は、片面の原稿読み取り方式である。
【００３０】
これに対して、両面原稿読み取り方式においては、例えば色変換に伴う演算処理を行なう場合のように、図５の画像処理回路４が、表裏各面のＲＧＢデータをセットで処理する機能を要求されるときは、原稿の一方の面の画像データ、例えば表面について、ＲＧＢ各１ラインの計３ライン分の画像データが揃うまで保持しておくために、４ライン分のラインメモリを付加する必要がある。
直接読み出し方式の等倍カラーイメージセンサは、半導体レベルの構成として比較的容易であり、安価でもあるため、現状では、イメージスキャナの低価格化に有用なユニットであるが、両面原稿読み取り方式においては、４ライン分のラインメモリを要する点でコストアップを免がれない。
この発明では、両面原稿読み取り方式において、このように４ライン分のメモリを必要とする原因は、図４に示したように、ＲＧＢ各１ラインをライン単位で切り換える方式を採用しているため、表Ｒ→裏Ｒ→表Ｇ→裏Ｇ→表Ｂ→裏Ｂ→……のように、表と裏の画像データが交互に入力されるからである、という点に着目し、ＲＧＢ各色信号の１サイクルを単位として表裏信号を切り換えれば、あたかも一面原稿の読み取りと同様に、表と裏の画像データを連続して入力させることが可能になるので、２ライン分のラインメモリだけで、表裏各面のＲＧＢデータをセットで処理する機能が実現できる、という発想に基いている。
【００３１】
この両面原稿読み取り装置によれば、例えば色変換のように、画像処理回路として表裏各面のＲＧＢデータをセットで処理する機能が必要な場合でも、片面読み取り時と同じ少容量のメモリ構成でカラーイメージセンサが得られるが、読み取り速度がやや低下することがある。そこで、色変換せずに、ＲＧＢデータのまま出力する処理モードの場合には、信号読み出しレートを上げることが可能な両面原稿読み取り方法が選択できるようにして、原稿読み取り装置の動作モードや接続環境によって最適な読み取り方法に切り換えることにより、少容量のメモリ構成によるカラーイメージセンサの利点と、片面読み取り時と同等の速度で両面読み取りを行なう利点とが、適宜得られるようにしている。
【００３２】
第１の実施の形態
この第１の実施の形態では、ＲＧＢの各１ライン（計３ライン）を１単位として表裏の切り換えを行なうことにより、片面読み取り時と同等容量のメモリを使用するだけで、色変換等の演算処理を伴う読み取り動作を可能にした両面読み取り装置を実現する点に特徴を有している。
【００３３】
図１は、この発明の両面原稿読み取りによる表裏画面の切り換えタイミングを説明する図で、その実施の形態の一例を示すタイムチャートである。図の波形に付けた符号は図４と同様である。
【００３４】
この図１には、ＲＧＢ各光源が順次点灯して得られるＲＧＢ各１ライン分の３色の色信号１サイクルを単位として、原稿の表と裏とを切り換える場合について示している。
この場合にも、先の図５に示した両面同時読み取り装置を使用するが、切り換えスイッチＳＷの切り換えタイミングが、図４に示した両面読み取り方式と異なっている。
すなわち、この図１と先の図４とを対比すれば明らかなように、１ライン毎に表裏を切り換える図４の場合には、入力される信号は、表Ｒ→裏Ｒ→表Ｇ→裏Ｇ→表Ｂ→裏Ｂ→……の順序であり、表の画像信号と裏の画像信号とが交互に入り混じっている。
これに対して、図１の場合には、ＲＧＢの各１ラインをセットとして表裏を切り換えており、入力される信号は、表Ｒ→表Ｇ→表Ｂ→裏Ｒ→裏Ｇ→裏Ｂ→……の順序で、図５の画像処理回路４へ入力される。
この順序で信号が入力された場合の画像処理回路について説明する。
【００３５】
図２は、この発明の両面原稿読み取りを実施するための画像処理回路について、その要部構成の実施の形態の一例を示す機能ブロック図である。図において、１１はＡ／Ｄ変換部、１２は暗補正部、１３は明補正部（シェーディング補正部）、１４は色変換部、１５はラインメモリで、１５ａは表面画データのメモリ領域、１５ｂは裏面画データのメモリ領域、１５ｃはＲＧＢ各色毎のメモリ領域、１５ｄは表裏共用のＲ用ラインメモリ、１５ｅは表裏共用のＧ用ラインメモリを示す。
【００３６】
図２に示す画像処理回路は、従来例として先の図５に示した両面同時読み取り装置に設けられている画像処理回路４に対応しており、その他の構成は図５と基本的に同様である。
ラインメモリ１５としては、暗補正用として、表面画データのメモリ領域１５ａと裏面画データのメモリ領域１５ｂとが、暗補正部１２に付加され、また、明補正用として、６ライン分のＲＧＢ各色毎のメモリ領域１５ｃが、明補正部１３に付加されている。
さらに、色変換を施すために、表裏共通のＲ用ラインメモリ１５ｄと表裏共通のＧ用ラインメモリ１５ｅの２ライン分のメモリが、色変換部１４の入力側に設けられている。この図２の画像処理回路における特徴は、ラインメモリ１５として、表裏共用のＲ用ラインメモリ１５ｄと、表裏共用のＧ用ラインメモリ１５ｅの２ライン分だけを使用する点である。
【００３７】
Ａ／Ｄ変換部１１は、アナログ信号をデジタルデータに変換する機能を有している。
デジタルデータに変換された画データは、暗補正部１２において、オフセットが除去される。
ここで、オフセット成分とは、光源が点灯されない暗黒状態でのイメージセンサ出力信号であり、その情報（暗補正データ）が、事前にラインメモリ１５の表面画データのメモリ領域１５ａと裏面画データのメモリ領域１５ｂに、それぞれ格納されているとする。
このオフセットは、イメージセンサ自体の特性が大きく寄与することから、補正データは表裏各イメージセンサ単位で区別して管理する。なお、先に述べたように、オフセット成分は、光源を点灯させない状態での出力信号であり、その特性は色信号毎に異なるものではないので、色毎には区別しない。
【００３８】
暗補正が施された画データは、明補正部１３（シェーディング補正部）によって各画素毎の出力バラツキによる波形歪みを補正される。
この明補正部１３においては、明補正のためのデータ（明補正データ）は、光源を点灯した状態で基準となる白板を読み取った出力信号であり、先の暗補正データと同様に、事前にラインメモリ１５のＲＧＢ各色毎のメモリ領域１５ｃに、それぞれ格納されている。
この明補正データは、光源やイメージセンサ等の多様な要因が寄与するため、表裏、色信号のそれぞれについて独立に設定する必要がある。
すなわち、明補正データ用として、６ライン分のメモリ領域を必要とする。
【００３９】
この明補正部１３において歪みが除去された画データは、そのままＲＧＢデータ（Ｒ／Ｇ／Ｂ出力）として出力される経路と、色変換部１４において出力に応じた色変換を施すために、一旦、表裏共用のＲ用ラインメモリ１５ｄまたは表裏共用のＧ用ラインメモリ１５ｅへ送られる経路とに分離される。
色変換部１４においては、ＲＧＢの３原色を全て利用して補色Ａ，Ｂ，Ｃをそれぞれ演算して色変換を行ない、演算された補色３系統は、ＲＧＢの３原色のデータが揃うライン期間に、同時に出力されるよう制御する。
この場合に、この色変換部１４に入力データを供給するラインメモリ、すなわち、表裏共用のＲ用ラインメモリ１５ｄとＧ用ラインメモリ１５ｅは、表裏のアクセス領域を分離しない片面２ライン分のみである、という点が従来と異なっている。
【００４０】
この第１の実施の形態による両面原稿読み取りでは、イメージセンサから出力された信号を、この図２の画像処理回路に入力すると、画データは、表Ｒ→表Ｇ→表Ｂ→裏Ｒ→裏Ｇ→裏Ｂ→……のように、各面のＲＧＢデータが連続することになる。このように、色データが、Ｒ→Ｇ→Ｂの順序に従う場合には、最後のＢの画像信号が入力されるまで保存しておく必要のある画データは、その面のＲとＧの片面２ライン分の画データだけでよい。この読み取り方法について、入力される信号の順序を先と同じ表記によって表わすと、表Ｒ→表Ｇ→表Ｂ→裏Ｒ→裏Ｇ→裏Ｂ→……となる。この第１の実施の形態の方法によれば、表Ｂが入力されるまでに、表Ｒと表Ｇの２ライン分のデータを保存するだけで、ＲＧＢの各色データを一度に揃えることが可能である。
【００４１】
裏面についても同様で、２ライン分のデータを保存するだけで、ＲＧＢの各色データを一度に揃えることができる。
したがって、この第１の実施の形態によれば、表裏共用のＲ用ラインメモリ１５ｄとＧ用ラインメモリ１５ｅについては、そのラインメモリのエリアを、共有することが可能になる。
これに対して、先の図４に示したように、表裏交互にデータが入力される切り換え方式の場合には、表裏のＲとＧの画データについて、それぞれの画データを保存しておかなければならず、色補正に必要なラインメモリは４ライン分が必要である。
【００４２】
なお、以上に述べた実施の形態では、変換後のデータとして、３系統の補色を行なう場合を述べたが、必ずしも３系統であることは必要でなく、変換後のデータの種類や本数は、以上の実施の形態に制約されるものではない。
また、色変換部１４において演算された補色データは、同時に出力される場合の構成を示したが、順次出力される構成にすることも可能である。なお、この順次出力する構成の場合には、色変換部１４に、その間データを保持するためのメモリを増設する必要がある。
以上のように、この第１の実施の形態では、ＲＧＢ各光源が順次点灯して得られるＲＧＢ３原色の色信号の１サイクルを単位として、表裏で入力される画像信号を切り換えている。
したがって、例えば色変換のように、画像処理回路として表裏各面のＲＧＢデータをセットで処理する機能が必要な場合に、片面読み取り時と同じ少ない容量のメモリ構成で実現することが可能になり、カラーイメージセンサの低コスト化が達成される。
【００４３】
第２の実施の形態
この第２の実施の形態は、請求項１の発明にも関連している。先の第１の実施の形態では、ＲＧＢ各１ラインの３色を１単位として表裏の切り換えを行なうことによって、片面読み取り時と同容量のラインメモリで色変換等の演算処理を伴う読み取り動作を可能にした両面読み取り方法および装置を説明した。ところが、第１の実施の形態で説明した両面読み取り方法の場合には、先の図６に示したように、表面の信号読み出し期間に、裏面の光源を点灯することによって読み出しレートを上げる制御方法を採用することができない。すなわち、図１で説明したＲＧＢ各１ラインの３色を１単位として表裏の切り換えを行なう原稿読み取り方法では、片面のイメージセンサのＬＥＤを点灯している間、あるいはデータを読み出している間は、もう一方の面のイメージセンサは全く動作していないことになる。その結果、読み取り時間は、片面読み取り時の２倍が必要になる。
【００４４】
したがって、読み取り時間の観点からは、先の図４と図６で説明した方式、すなわち、１ライン単位での表裏切り換え方法の方が、図１のＲＧＢ１サイクル単位で表裏を切り換える方法よりも優れている、ということができる。
そして、カラーの両面原稿読み取り方式においては、常に色変換に伴う演算処理を行なう必要があるとは限らない。
そこで、この第２の実施の形態では、色変換せずに、ＲＧＢデータのまま出力する処理モードのときは、ＲＧＢの各１ライン毎に表裏を切り換える方式によって、先の図６に示したタイミングで制御して両面読み取りを行なうことにより、両面読み取り時でも、片面読み取り時と大差ない時間での読み取り動作を可能にして、読み取り速度を向上させると共に、色変換を施す処理モードのときは、先の第１の実施の形態で説明したように、図１に示した両面読み取り方法によって両面の読み取りを行なうことにより、片面読み取りと同じ少容量のラインメモリによる両面読み取り方法を選択することができる点に特徴を有している。
【００４５】
そのために、先の第１の実施の形態で説明したＲＧＢ３色の色信号１サイクルを単位として、表と裏とを切り換える両面原稿の同時読み取り方法を実行する原稿読み取り手段（第１の原稿読み取り手段）と、図６に示したＲＧＢ１ライン毎に表裏を切り換える両面原稿の同時読み取り手段（第２の原稿読み取り手段）とを設け、例えば色変換のように、主走査１ラインの情報としてＲＧＢ各１ライン分のデータを要するため、表裏のＲとＧの画データを一定時間だけ保存する必要がある第１の処理モードと、色変換せずに、ＲＧＢデータのまま出力する第２の処理モードとに応じて、２つの読み取り手段を選択できるように構成する。
このように、第２の実施の形態では、両面カラー読み取りに際して、第１の実施の形態で説明した両面原稿読み取り方法と、信号読み出しレートを上げることが可能な両面原稿読み取り方法との２種類の方法（方式）を任意に切り換えることを可能にした原稿読み取り方法および装置を実現している。
したがって、原稿読み取り装置の動作モードや接続環境によって最適な読み取り方法（あるいは読み取り手段）に切り換えて、両面原稿の読み取り動作を行なうことが可能になり、それぞれの読み取り方法の欠点を補うと共に、その長所を生かした読み取り動作を選択することができる。
【００４６】
【発明の効果】
請求項１の両面原稿読み取り装置では、ＲＧＢ各光源が順次点灯して得られる色信号１サイクルを単位として、表裏信号を切り換えている。したがって、画像処理回路として表裏各面のＲＧＢデータをセットで処理する機能が必要な場合でも、カラーイメージセンサを片面読み取り時と同じ少ない容量のメモリ構成で実現することができる。
【図面の簡単な説明】
【図１】この発明の両面原稿読み取り方法による表裏画面の切り換えタイミングを説明する図である。
【図２】この発明の両面原稿読み取り方法を実施するための画像処理回路について、その要部構成の実施の形態の一例を示す機能ブロック図である。
【図３】光源順次点灯方式のカラーイメージセンサについて、その制御タイミングを説明する図である。
【図４】ＲＧＢの各１ライン毎に表裏を切り換える方式のカラーイメージセンサについて、その制御タイミングの一例を説明する図である。
【図５】両面同時読み取り装置について、その要部構成の一例を示す機能ブロック図である。
【図６】ＲＧＢ１の各ライン毎に表裏を切り換える方式のカラーイメージセンサについて、その第２の制御タイミングを説明する図である。
【符号の説明】
１１……Ａ／Ｄ変換部、１２……暗補正部、１３……明補正部、１４……色変換部、１５……ラインメモリ
【図１】
0003939855.tif 000002
【図２】
0003939855.tif 000003
【図３】
0003939855.tif 000004
【図４】
0003939855.tif 000005
【図５】
0003939855.tif 000006
【図６】
0003939855.tif 000007